(57)【要約】【課題】  メンテナンスが良好に行え、かつ、メンテナンスが良好に行え、かつ、構造が簡単で、室内への騒音伝播を抑制できる空気調和装置を提供することを目的とする。【解決手段】  室外に設置され、取り込まれた室内空気を室内熱交換器２１によって冷却または加熱して空調空気とし、室内に吹出す室外設置型室内ユニット５を備えている空気調和装置１であって、室外設置型室内ユニット５には、室内空気に含まれるゴミを分離するロールフィルタ１５と、ロールフィルタ１５に捕集されたゴミＧを取り除く清掃部２０と、清掃部２０が取り除くゴミＧを室外設置型室内ユニット５外へ排出するゴミ排出ファン２７とが備えられていることを特徴とする。【選択図】      図４
2008196715.tif 000002
【特許請求の範囲】
【請求項１】
室外に設置され、取り込まれた室内空気を熱交換器によって冷却または加熱して空調空気とし、室内に吹出す室外設置型室内ユニットを備えている空気調和装置であって、
前記室外設置型室内ユニットには、前記室内空気に含まれるゴミを分離するフィルタ部材と、該フィルタ部材に捕集されたゴミを取り除く清掃手段と、該清掃手段が取り除くゴミを前記室外設置型室内ユニット外へ排出する排出手段とが備えられていることを特徴とする空気調和装置。
【請求項２】
前記フィルタ部材は、フィルタ部分が移動可能とされていることを特徴とする請求項１に記載された空気調和装置。
【請求項３】
前記清掃手段は、前記フィルタ部分の一部に接触するように設置されたブラシ部材であることを特徴とする請求項２に記載された空気調和装置。
【請求項４】
前記排出手段は、選択的に開放可能な開口部に設置された送風機であることを特徴とする請求項１から請求項３のいずれかに記載された空気調和装置。
【請求項５】
前記室外設置型室内ユニットには、室内から取り込まれた室内空気の少なくとも一部を、外部から取り入れた外部空気と熱交換して排出する全熱交換器が備えられていることを特徴とする請求項１から請求項４のいずれかに記載された空気調和装置。
【請求項６】
室外に設置され、取り込まれた室内空気を熱交換器によって冷却または加熱して空調空気とし、室内に吹出す室外設置型室内ユニットを備えている空気調和装置であって、
外部空気を取り入れるための外部空気取入用送風機と、
前記送風機から取り入れられた外部空気と室内から取り込まれた室内空気の少なくとも一部を熱交換して排出する全熱交換器と、
室内空気に含まれるゴミを前記室外設置型室内ユニット外へ排出する排出手段を有する全熱交換器セクションと、
前記全熱交換器から排出された空気を室内へ送り込むための送風機を有する送風機センクションと、
前記送風機から排出された空気を室内熱交換器を介して室内へ吹き出す吹き出し口部を有する室内熱交換器センクションとを備え、
前記全熱交換器セクションは、前記室内熱交換器セクションおよび前記送風機セクションとの間を仕切部材によって仕切られており、
前記仕切部材の一部が前記室内空気に含まれるゴミを分離するフィルタ部材で構成され、
該フィルタ部材は、捕集されたゴミを取り除く清掃手段を備え、前記全熱交換器セクションの前記排出手段近傍に設置されていることを特徴とする空気調和装置。
【発明の詳細な説明】
【技術分野】
【０００１】
本発明は、空気調和装置に関するものである。
【背景技術】
【０００２】
空気調和装置の室内ユニットは、居住空間、店舗等のスペースをできるだけ広く使えるようにするため、床置き形から壁掛け形、さらには天井吊下げ形、天井カセット形、天井埋込形と設置場所が室内の上の方に変化している。
また、室内ユニットは室内空気が循環されるので、それに含まれる塵、埃等のゴミを取り除くフィルタが備えられている。フィルタにゴミが蓄積すると室内空気の循環が阻害されるので、フィルタの交換あるいは洗浄等の清掃が必要となる。
最近では、たとえば、特許文献１に示されるように、フィルタの清掃を自動的に行えるものが提案されている。これらは、フィルタに付着したゴミを吸引またはかきとってユニット内部に貯留し、それを人が定期的に取り出し捨てるもの、あるいは、室外に配管を別途設置し排気とともに室外に排出するものである。
【０００３】
【特許文献１】特開２００６−２２０４１２号公報
【発明の開示】
【発明が解決しようとする課題】
【０００４】
しかし、従来の室内ユニットは基本的に室内に設置される形態であるため、フィルタの交換等の日常メンテナンスおよびドレン配管による水漏れ対応、熱交換器の洗浄、修理等のメンテナンスを行なう場合には、室内の養生が必要であるという問題があった。
また、フィルタの清掃を自動的に行うものでは、ゴミの排出のために構造が複雑になるし、その作業に手間がかかるという問題、および清掃時の騒音が室内に伝播するという問題があった。
【０００５】
本発明は、上記問題点に鑑み、メンテナンスが良好に行え、かつ、構造が簡単で、室内への騒音伝播を抑制できる空気調和装置を提供することを目的とする。
【課題を解決するための手段】
【０００６】
上記課題を解決するために、本発明は以下の手段を採用する。
すなわち、本発明にかかる空気調和装置は、室外に設置され、取り込まれた室内空気を熱交換器によって冷却または加熱して空調空気とし、室内に吹出す室外設置型室内ユニットを備えている空気調和装置であって、前記室外設置型室内ユニットには、前記室内空気に含まれるゴミを分離するフィルタ部材と、該フィルタ部材に捕集されたゴミを取り除く清掃手段と、該清掃手段が取り除くゴミを前記室外設置型室内ユニット外へ排出する排出手段とが備えられていることを特徴とする。
【０００７】
本発明にかかる空気調和装置は、室外に配置した室外設置型室内ユニットを作動させると、室内空気を取り込み、それを熱交換器によって冷却または加熱して空調空気とし、室内に吹出され、室内の空気調和を行う。
このように、室外設置型室内ユニットは室外に設置されているので、フィルタの交換等、ドレン配管による水漏れ対応、熱交換器の洗浄、修理等のメンテナンスを室外で行うことができる。
このため、メンテナンスのために室内の養生が必要でなくなるので、その分メンテナンス作業を容易に行うことができる。
【０００８】
また、空調動作時にフィルタ部材に捕集されたゴミは、清掃手段でフィルタ部材から適宜取り除かれ、排出手段によって室外設置型室内ユニットの外に排出される。
このとき、室外設置型室内ユニットは室外にあるので、清掃作業に伴う騒音の室内への伝播を抑制することができる。
また、排出手段は室外にゴミを排出することとなるので、室内への影響がない。このため、室内へ飛散を考慮して室外設置型室内ユニット内に一次貯留するような設備が不要なり、あるいは、室外へ排出するための配管を別途設置することが不要となるので、その分構造を簡単にすることができる。
【０００９】
また、本発明にかかる空気調和装置では、前記フィルタ部材は、フィルタ部分が移動可能とされていることを特徴とする。
【００１０】
このように、フィルタ部材は、フィルタ部分が移動可能とされているので、清掃手段をフィルタ部分の移動経路に設置すれば、フィルタ部分は清掃手段の位置を移動することとなる。
したがって、清掃手段を固定した構造としてもフィルタ部分のゴミを取り除くことができるので、清掃手段の構造をより簡素化することができる。
なお、フィルタ部材として、たとえば、ロールフィルタのようにフィルタ部分が循環移動できるものを用いるのが好適である。
【００１１】
また、本発明にかかる空気調和装置では、前記清掃手段は、前記フィルタ部分の一部に接触するように設置されたブラシ部材であることを特徴とする。
【００１２】
フィルタ部分の一部に接触するように設置されたブラシ部材は移動するフィルタ部分に順次接触するので、ブラシ部材を通過するフィルタ部分からゴミをかき取り、排出手段の方向へ飛ばすことができる。
このように、単にブラシ部材を所定位置に設置するだけであるので、清掃手段の構造を簡素化することができる。
【００１３】
また、本発明にかかる空気調和装置では、前記排出手段は、選択的に開放可能な開口部に設置された送風機であることを特徴とする。
【００１４】
このように、排出手段は、選択的に開放可能な開口部に設置された送風機であるので、清掃を行う時に開口部を開放し、室外設置型室内ユニット内と室外とを連通させ、送風機を作動させれば室外設置型室内ユニット内から室外へ向けた気流が形成される。
フィルタ部材から清掃手段によって分離されたゴミは、この気流に乗って室外設置型室内ユニット内から室外の空間に排出することができる。
【００１５】
また、本発明にかかる空気調和装置では、前記室外設置型室内ユニットには、室内から取り込まれた室内空気の少なくとも一部を、外部から取り入れた外部空気と熱交換して排出する全熱交換器が備えられていることを特徴とする。
【００１６】
本発明にかかる空気調和装置では、室内から取り込まれた室内空気は、その少なくとも一部が全熱交換器によって外部から取り入れた外部空気と熱交換して排出される。残りの室内空気および全熱交換器で熱交換された外部空気は、熱交換器によって空調空気とされ、室内吹出口部から室内に吹き出される。
このように、室内空気を排出するとともに取り入れた外部空気と熱交換させる全熱交換器が備えられているので、省エネルギーによる換気を行うことができる。
また、室内熱交換器への冷媒の供給あるいは非供給によって冷暖房、換気、吸気等を適宜行うことができる。
このため、建築基準法によって義務付けされた換気用の設備（換気ユニット、給排気用のダクト等）を別途設置する必要がなくなる。
【００１７】
本発明にかかる空気調和装置では、室外に設置され、取り込まれた室内空気を熱交換器によって冷却または加熱して空調空気とし、室内に吹出す室外設置型室内ユニットを備えている空気調和装置であって、外部空気を取り入れるための外部空気取入用送風機と、前記送風機から取り入れられた外部空気と室内から取り込まれた室内空気の少なくとも一部を熱交換して排出する全熱交換器と、室内空気に含まれるゴミを前記室外設置型室内ユニット外へ排出する排出手段を有する全熱交換器セクションと、前記全熱交換器から排出された空気を室内へ送り込むための送風機を有する送風機センクションと、前記送風機から排出された空気を室内熱交換器を介して室内へ吹き出す吹き出し口部を有する室内熱交換器センクションとを備え、前記全熱交換器セクションは、前記室内熱交換器セクションおよび前記送風機セクションとの間を仕切部材によって仕切られており、前記仕切部材の一部が前記室内空気に含まれるゴミを分離するフィルタ部材で構成され、該フィルタ部材は、捕集されたゴミを取り除く清掃手段を備え、前記全熱交換器セクションの前記排出手段近傍に設置されていることを特徴とする。
【００１８】
本発明にかかる空気調和装置では、仕切部材の一部をフィルタ部材で構成することにより、フィルタ部材の余分な設置スペースを必要としない。
このため、装置の簡素化、コンパクト化を図り、室外設置時においても省スペース化が可能となる。
また、フィルタ部材が排出手段の近傍に設置されているため、清掃手段で取り除かれたゴミはそのまま排出手段によって室外設置型室内ユニットの外に排出される。
これにより、室外設置型室内ユニット内にゴミを一次貯留するような設備が不要となり、室外へ排出するための配管を別途設置することも不要となる。
更に、清掃手段で分離されたゴミの飛散を最小限に抑えつつ、確実に室外の空間に排出することが可能となる。
【発明の効果】
【００１９】
本発明によれば、室外設置型室内ユニットは室外に設置されているので、メンテナンス作業を容易に行うことができ、清掃作業に伴う騒音の室内への伝播を抑制することができる。
また、室内へ飛散を考慮して室外設置型室内ユニット内に一次貯留するような設備が不要なるし、あるいは、室外へ排出するための配管を別途設置することが不要となるし、するので、その分構造を簡単にすることができる。
【発明を実施するための最良の形態】
【００２０】
以下、本発明の一実施形態について、図１〜図４を用いて説明する。
図１は本実施形態にかかる空気調和装置の設置状態を示す斜視図である。図２は、本実施形態にかかる室外設置型室内ユニットの内部概略構成を示す正面図である。図３は、本実施形態にかかるロールフィルタ（フィルタ部材）を示す斜視図である。図４は、図２のＡ部を拡大して示す部分断面図である。
【００２１】
本実施形態にかかる空気調和装置１は、図１に示されるように１台の室外ユニット３に、複数台、たとえば２台の室外設置型室内ユニット５が接続された、マルチ室内ユニットタイプと称されるものである。
これら室外ユニット３および室外設置型室内ユニット５は、冷媒が導通する冷媒配管である液管７およびガス管９や図示しない電気配線等により接続されている。
【００２２】
空気調和装置１は、室外ユニット３および室外設置型室内ユニット５内に設置された各機器を液管７およびガス管９によって接続し、冷媒が状態を変えて循環する冷媒回路を構成している。
室外ユニット３には、図示しない圧縮機、室外熱交換器、等が備えられている。
室外ユニット３は、冷房時には、冷却した液冷媒を液管７によって各室外設置型室内ユニット５へ供給し、暖房時には、高温高圧のガス冷媒を各室外設置型室内ユニット５に供給する。
【００２３】
室外設置型室内ユニット５には、図２に示されるように、各機器を収納するケーシング１１と、全熱交換器１３と、ロールフィルタ（フィルタ部材）１５と、シロッコファン１７と、ファンモータ１９と、室内熱交換器（熱交換器）２１と、排気用ファン２３と、外部空気取入用ファン２５と、ゴミ排出ファン２７と、制御箱２９とが備えられている。
ケーシング１１は、略直方体形状をした中空体である。ケーシング１１の内部は、仕切部材３１によって全熱交換器１３等を設置する全熱交換器セクション３３と、室内熱交換器２１等を設置する室内熱交換器セクション３５と、シロッコファン１７等を設置する送風機セクション３７とに区切られている。
【００２４】
ケーシング１１の前面３９には、全熱交換器セクション３３、室内熱交換器セクション３５および送風機セクション３７が略全面に亘り開口している。
これらの開口部を覆うようにそれぞれ全熱交換器セクションパネル４１、室内熱交換器セクションパネル４３および送風機セクションパネル４５が備えられている。（図１参照）
全熱交換器セクションパネル４１、室内熱交換器セクションパネル４３および送風機セクションパネル４５は、前面３９にパッキン等を介して密封できるように着脱可能に取り付けられている。
【００２５】
ケーシング１１の前面３９と略直交するように交差する上面４７には、吸引ダクト４９が接続される吸引口部５１と、吹出ダクト５３が接続される吹出口部５５とが備えられている。
吸引口部５１は、全熱交換器セクション３３に位置し、吹出口部５５は室内熱交換器セクション３５に位置している。
ケーシング１１の上面４７および下面５７の両端部で、背面５９側には、ネジが切られた貫通孔６１を有する固定金具６３が固定して取付けられている。
【００２６】
排気用ファン２３は、全熱交換器セクション３３の外側面下部に排気開口部６７を有し、内側に開閉可能な排気扉６９を有する排気ダクト７１の中に取付けられている。
外部空気取入用ファン２５は、全熱交換器セクション３３に下部側面側に配置され、全熱交換器セクション３３の下面５７に取入開口部７３を有し、内側に開閉可能な取入扉７５を有する取入ダクト７７の中に取付けられている。
【００２７】
ロールフィルタ１５は、全熱交換器セクション３３と送風機セクション３７とを区切る仕切部材３１に設けられた開口部に設置され、シロッコファン１７に吸引されて通過する吸引口部５１から吸引された室内空気に含まれるダスト等のゴミを分離して回収する機能を奏する。
ロールフィルタ１５には、ステッピングモータ１２と、駆動軸１４と、従動軸１６と、フィルタ（フィルタ部分）１８とが備えられている。
【００２８】
駆動軸１４および従動軸１６は、それぞれケーシング１１の厚さ方向（図２の紙面方向）に延在するように配置され、相互に間隔をあけてケーシング１１に回動可能に支持されている。
駆動軸１４の一端には、ステッピングモータ１２の回転軸が、相互の軸線中心が一致するように取り付けられている。ステッピングモータ１２は、ケーシング１１に固定して取り付けられている。
【００２９】
フィルタ１８は、エンドレスベルト状とされ、駆動軸１４と従動軸１６とに掛け渡されている。
フィルタ１８は、樹脂製でハニカムネットタイプである。なお、たとえば、不織布で構成してもよい。
フィルタ１８は、ステッピングモータ１２が駆動軸１４を回転させることによって駆動軸１４と従動軸１６との間を循環するように移動する。
【００３０】
ロールフィルタ１５の下面５７側に、清掃部（清掃手段）２０が備えられている。
清掃部２０は、ブラシ部（ブラシ部材）２２と、支持部２４とで構成されている。支持部２４は、板部材であり、ケーシング１１に固定して取り付けられている。
支持部２４は、ケーシング１１の厚さ方向にフィルタ１８の幅よりも長く延在するように配置されている。
ブラシ部２２は、支持部２４の上面４７側の面に植設された複数のブラシで構成されており、その自由端（先端）はフィルタ１８に当接されている。
ブラシには、フィルタ１８からのゴミの分離を促進するために、除電剤が混入されている。
【００３１】
ゴミ排出ファン（排出手段、送風機）２７は、全熱交換器セクション３３の下部で、ロールフィルタ１５に近い部分に配置されている。
ゴミ排出ファン２７は、全熱交換器セクション３３の下面５７に排出開口部７９を有し、内側に開閉可能な排出扉８１を有する排出ダクト８３の中に取付けられている。
ゴミ排出ファン２７は、排出ダクト８３に複数、たとえば３本の支柱２８で支持されたモータ２６の回転軸に固定して取り付けられている。
【００３２】
シロッコファン１７は、複数枚の羽根を環状配置させて円筒をなし、ファンモータ１９によって回転させられる。シロッコファン１７は、この羽根の回転によってこの円筒の軸線中心部に流入する空気を円筒の接線方向に向けて流路が形成された送風ダクト６５内を通って室内熱交換器２１に向けて送り出すものである。
室内熱交換器２１は、シロッコファン１７によって送られる空気を冷却あるいは加熱するもので、たとえば、複数のプレートフィンを平行に配列するとともにその両側にそれぞれ側板を配置し、かつこれら側板および複数のプレートフィンの間に冷媒の流れるチューブを配設した構成とされている。
すなわち、このチューブの両端に液管７とガス管９とが接続されている。
液管７には、膨張弁８５とストレーナ８７とが備えられている。
【００３３】
空気調和装置１の運転等を制御する制御部が収納されている制御箱２９は、送風機セクション３７の下部に設置されている。
制御箱２９のシロッコファン１７側には、スピーカ８９が取付けられている。制御箱２９に設けられた図示しない信号処理回路によって、吹出ダクト５３内に設置されたマイクロフォン９１で検出された騒音波形をもとに、それと逆位相の音波形を出すような信号が形成され、スピーカ８９に供給される。スピーカ８９は、この信号に応じて指示された音波形に従った音を発生し、吹出ダクト５３および吸引ダクト４９を通って室内に伝播される騒音を低減するように構成されている。
【００３４】
室内熱交換器セクション３５の室内熱交換器２１の下方には室内熱交換器２１で発生するドレンを受けるドレンパン９３が備えられている。
ドレンパン９３に貯留したドレンは、ドレン管９５を通って機外に排出される。
ケーシング１１の下面５７には、液管７、ガス管９、図示しない配線等およびドレン管９５が通る貫通孔が備えられている。
【００３５】
このように構成された２台の室外設置型室内ユニット５を含む空気調和装置１は、図１に例示する集合住宅において次ぎのように設置されている。
室外ユニット３は、ベランダ９７の所定位置に載置される。
２台の室外設置型室内ユニット５は、部屋の外壁９９の外側、すなわち、室外側に取付けられている。
このように、室外設置型室内ユニット５は室外側に取り付けられるので、室内のスペースを有効に活用することができる。
【００３６】
室外設置型室内ユニット５ａは、取付位置における幅方向寸法に余裕があるので、上面４７、すなわち、吸引ダクト４９および吹出ダクト５３が上になるように配置し、固定金具６３をコンクリートボルトによって外壁９９に固定することで取付けられる。
これは、前面３９が上下方向に延在するので、縦置きと称される。
なお、この縦置きで、取付位置における幅方向寸法が小さい場合、上面４７が側部になるように配置することができる。この場合、上下を逆にすることで、吸引ダクト４９および吹出ダクト５３をケーシング１１の左側あるいは右側に配置することができるので、集合住宅においてよく求められる左右勝手の違いに対応することができる。
【００３７】
そして、室外設置型室内ユニット５ｂは、設置位置における上下方向高さが小さいので、前面３９が下側に向き、かつ、横方向に延在する形（横置き）で設置される。
ケーシング１１は、固定金具６３が吊りボルト９８の先端に取付けられることによって、たとえば、上の階のベランダ９７の下面に吊下げられる。
このように横置き配置とすると、設置場所の上下方向高さはケーシング１１の厚みと略同等以上あれば設置できる。
なお、室外設置型室内ユニット５ｂを水平面内で１８０度回転させれば、吸引ダクト４９および吹出ダクト５３をケーシング１１の左側に配置することができるので、集合住宅においてよく求められる左右勝手の違いに対応することができる。
【００３８】
室外設置型室内ユニット５ａは、前面３９が外側に向いた状態で、室外設置型室内ユニット５ｂは前面３９が下側に向いた状態で取り付けられるので、全熱交換器セクションパネル４１、室内熱交換器セクションパネル４３および送風機セクションパネル４５に容易に接近することができる。
これは、上述した集合住宅においてよく求められる左右勝手の違いに対応した設置でも同様である。
【００３９】
したがって、全熱交換器セクションパネル４１、室内熱交換器セクションパネル４３あるいは送風機セクションパネル４５を取り外すことによって、ケーシング１１内部に取り付けられた機器のメンテナンスを簡単に、かつ、確実に実施することができる。
また、室外設置型室内ユニット５は室外に設置されているので、メンテナンスを室外で行うことができる。このため、メンテナンスのために室内の養生が必要でなくなるので、その分メンテナンス作業を容易に行うことができる。
【００４０】
以上説明した本実施形態にかかる空気調和装置１の動作について説明する。
次に、空気調和装置１の各種運転について説明する。
まず、冷房運転を行う場合には、室外ユニット５から液管７により室内熱交換器２１に冷めたい液冷媒が供給される。その途中で液冷媒は膨張弁８５によって膨張され室内熱交換器２１に流入する。
そして、シロッコファン１７の回転により、吸込ダクト４９を介して吸引口部５１から取り入れられた室内空気は、ロールフィルタ１５でダスト等のゴミを分離された状態で、室内熱交換器２１を通過して冷却される。この室内熱交換器２１で冷却された空気（空調空気）が吹出口部５５を通って吹出ダクト５３から室内に吹き出され、室内の冷房を行う。
【００４１】
室内熱交換器２１を流れる冷媒は、室内空気との熱交換によって暖められてガス化し、ガス管９を通って室外ユニット３に戻される。
このとき、室内空気に含まれる水蒸気が、冷媒によって冷却された室内熱交換器２１に触れて凝縮し、ドレンとなる。
このドレンは、ドレンパン９３に貯留され、ドレン管９５を通って機外に排出される。
【００４２】
また、暖房運転を行う場合には、室外ユニット５からガス管９により室内熱交換器２１に暖かいガス冷媒が運ばれ、上述の冷房運転と同様に流れる室内空気を暖める。
この室内熱交換器２１で加熱された空気（空調空気）が吹出口部５５を通って吹出ダクト５３から室内に吹き出され、室内の暖房を行う。
室内熱交換器２１を流れる冷媒は、室内空気との熱交換によって冷却されて液化し、液管７を通って室外ユニット３に戻される。
【００４３】
この場合、排気扉６９および取入扉７５を開き、排気用ファン２３および外部空気取入用ファン２５を回転させる。
排気用ファン２３が回転すると吸引口部５１から取り入れられた室内空気の一部が全熱交換器１３に取り込まれ、全熱交換器１３および排気ダクト７１を通って排気開口部６７から外部に排気される。
一方、外部空気取入用ファン２５が回転すると、取入開口部７３から取入ダクト７７を通って全熱交換器１３に外部空気が供給される。
全熱交換器１３に供給された外部空気は、全熱交換器１３を通って排気される室内空気と熱交換され、残りの室内空気とともに室内熱交換器２１によって冷却あるいは加熱されて吹出ダクト５３を通り室内に供給される。
【００４４】
このように、室内空気の一部を排出するとともにそれと取り入れた外部空気との間で熱交換させる全熱交換器１３が備えられているので、省エネルギーを図った冷暖房を伴った換気を行うことができる。
室内熱交換器２１に冷媒を供給しない状態で、排気用ファン２３および外部空気取入用ファン２５を運転すれば、室内の環境を略維持した状態での換気を行うことができる。
また、外部空気取入用ファン２５のみを作動させれば、外部空気を取り込む（吸気）ことができる。
このように、本実施形態の空気調和装置１は、冷暖房、換気、吸気等の種々の運転を行うことができる。
このため、建築基準法によって義務付けされた換気用の設備（換気ユニット、給排気用のダクト等）を別途設置する必要がなくなる。
【００４５】
このように空調調和装置１が運転されると、大量の室内空気等がフィルタ１８を通過することになる。フィルタ１８はこの通過する室内空気等に含まれる塵、埃等のゴミＧを捕集する。
捕集されたゴミＧが多くなると、フィルタ１８の目が詰るので、室内空気等が通過し難くなり、空調効果が低下する。
このため、フィルタ１８の目詰り状況に応じて、あるいは、所定期間毎に、フィルタ１８に捕集されたゴミＧを除去（清掃）する。このフィルタ１８の清掃動作について図４を用いて説明する。
【００４６】
まず、シロッコファン１７が運転されている場合、これを停止する。なお、場合によって運転を継続させていてもよい。
そして、排出扉８１を内側に開いて、排出ダクト８３を室外と連通するようにするとともにモータ２６を作動してゴミ排出ファン２７を回転させる。このゴミ排出ファン２７の回転によって室外設置型室内ユニット５の内部から室外に向けた気流Ｋが生成される。
【００４７】
この状態で、ステッピングモータ１２を作動させ、駆動軸１４を図３の矢印Ｙの方向に回転させる。この駆動軸１４の回転によってフィルタ１８は図３および図４の矢印Ｙの方向に移動する。
このフィルタ１８の移動によって、フィルタ１８が当接されているブラシ部２２の先端を通過する時、フィルタ１８に捕集されたゴミＧはブラシ部２２によってかき取られ、室外設置型室内ユニット５内に跳ね飛ばされる。
このゴミＧは、ゴミ排出ファン２７で生成された気流Ｋに乗って排出ダクト８３を通り排出開口部７９から外部へ排出される。
【００４８】
フィルタ１８が一周するとゴミＧの除去が終了するので、ステッピングモータ１２を止め、フィルタ１８の移動を停止させる。
その後、室外設置型室内ユニット５に浮遊するゴミＧが略全て外部へ排出されるタイミングで、排出扉８１を閉じるとともにモータ２６を止めゴミ排出ファン２７の回転を停止する。
【００４９】
このように、室外設置型室内ユニット５は室外に設置されているので、ゴミ排出ファン２７によって排出されるゴミＧは室内に撒き散らされる等の事態が発生しない。したがって、室内へ飛散を考慮して室外設置型室内ユニット５内に一次貯留するような設備が不要となるし、あるいは、室外へ排出するための配管を別途設置することが不要となるし、するので、その分構造が簡単を簡単にすることができる。
また、フィルタ１８が移動するので、清掃部２０は、ブラシ部２２を所定位置とし固定して設置するだけでフィルタ１８に捕集されたゴミＧを取り除くことができるため、構造を簡素化することができる。
【００５０】
空調運転中あるいはフィルタ１８の清掃作業中には、制御箱２９に設けられた図示しない信号処理回路が、吹出ダクト５３内に設置されたマイクロフォン９１で検出された騒音波形をもとに、それと逆位相の音波形を出すような信号を形成し、スピーカ８９に供給する。
スピーカ８９は、この信号に応じて音波形に従った音を発生するので、騒音波形と音波形とは相互に打ち消され、低減される。
この場合、スピーカ８９が発生する音波形は騒音源であるシロッコファン１７、ファンモータ１９、排気用ファン２３、外部空気取入用ファン２５等が発生する騒音を低減させることになるので、騒音の低減が効率的であるとともに同時に吸引ダクト４９を介して伝播される騒音をも低減することができる。
【００５１】
また、室外設置型室内ユニット５が室外に設置されているので、室内に設置された場合に比較して、騒音源であるシロッコファン１７、ファンモータ１９、排気用ファン２３、外部空気取入用ファン２５、ゴミ排出ファン２７等が遠くに配置される。
このため、スピーカ８９によって騒音と逆位相の音波形を発生させないとしても、室内に伝播される騒音を低減できる。
【００５２】
なお、本発明は上述した実施形態に限定されるものではなく、本発明の要旨を逸脱しない範囲内において適宜変更することができる。
たとえば、本実施形態では、本発明を室外ユニット３に対して複数の室外設置型室内ユニット５が取付けられるマルチ室内ユニットタイプに適用したとして説明したが、これに限定されるものではなく、室外ユニット３に対して１台の室外設置型室内ユニット５が設けられるタイプに適用してもよいし、その他の形式の空気調和装置に適用してもよい。
また、室外に設置された室外設置型室内ユニット５ではなく、室内に設置される室内ユニットに適用してもよい。
【図面の簡単な説明】
【００５３】
【図１】本発明の一実施形態にかかる空気調和装置の設置状態を示す斜視図である
【図２】本発明の一実施形態にかかる室外設置型室内ユニットの内部構造を示す正面図である。
【図３】本発明の一実施形態にかかるロールフィルタの部分を示す斜視図である。
【図４】図２のＡ部を拡大して示す拡大断面図である。
【符号の説明】
【００５４】
１  空気調和装置
５，５ａ，５ｂ  室外設置型室内ユニット
１３  全熱交換器
１５  ロールフィルタ
１８  フィルタ
２０  清掃部
２１  室内熱交換器
２２  ブラシ部
２７  ゴミ排出ファン
８３  排出ダクト
Ｇ  ゴミ
【図１】
2008196715.tif 000003
【図２】
2008196715.tif 000004
【図３】
2008196715.tif 000005
【図４】
2008196715.tif 000006